(57)【要約】      （修正有）【課題】廃棄する場合、分解してリサイクルの分類を行う煩雑なプロセスを減少できる歯間清掃具を提供する。【解決手段】歯間清掃具１は、ハンドル部１０及びハンドル部の一端に連接されているヘッド部２０を備え、ヘッド部及びハンドル部は同じ材料で一体成形されている。ヘッド部は軸状の芯基材部２１及びブラシ部２２を有し、軸状の芯基材部は棒状であり、ハンドル部の一端から延伸されている。ブラシ部は複数の細いブラシ層を含み、各細いブラシ層は複数の細いブラシ２２１を有し、且つ同じ細いブラシ層の各細いブラシは軸状の芯基材部の表面の異なる方向に突出している。軸状の芯基材部の自由端に隣接する細いブラシ層は第一細いブラシ層であり、ハンドル部に隣接する細いブラシ層は第Ｍ細いブラシ層である。第Ｎ細いブラシ層の各細いブラシと隣接する第Ｎ＋１細いブラシ層の各細いブラシは位置がずれている。【選択図】図１
0003235273.tif 000002
【実用新案登録請求の範囲】
【請求項１】
ハンドル部及び前記ハンドル部の一端に連接されているヘッド部を備え、前記ヘッド部及び前記ハンドル部は同じ材料で一体成形され、前記ヘッド部は軸状の芯基材部及びブラシ部を有し、前記軸状の芯基材部は棒状であり、且つ前記ハンドル部の一端から延伸され、前記ブラシ部は複数の細いブラシ層を含み、各前記細いブラシ層は複数の細いブラシを有し、同じ前記細いブラシ層の各前記細いブラシは前記軸状の芯基材部の表面の異なる方向に突出するように成形され、前記軸状の芯基材部の自由端に隣接する前記細いブラシ層は第一細いブラシ層であり、前記ハンドル部に隣接する前記細いブラシ層は第Ｍ細いブラシ層であり、前記ブラシ部の前記複数の細いブラシ層のうちの第Ｎ細いブラシ層の各細いブラシが対応する隣接する第Ｎ＋１細いブラシ層の各細いブラシは位置がずれており、ここでは、１≦  Ｎ≦  Ｍ−１を満たし、且つＮ及びＭは全て自然数であることを特徴とする歯間清掃具。
【請求項２】
前記細いブラシ層は少なくとも２本の細いブラシで構成されていることを特徴とする請求項１に記載の歯間清掃具。
【請求項３】
前記細いブラシ層は８本の細いブラシで構成されていることを特徴とする請求項２に記載の歯間清掃具。
【請求項４】
前記ブラシ部の各前記細いブラシの長さは前記第一細いブラシ層から前記第Ｍ細いブラシ層に向けて漸増することを特徴とする請求項１に記載の歯間清掃具。
【考案の詳細な説明】
【技術分野】
【０００１】
本考案は、歯のクリーニングツールに関し、より詳しくは、同じ材質で一体成形されている歯間清掃具に関する。
【背景技術】
【０００２】
歯の健康は人々が注意すべき健康課題であり、平時に歯を磨く習慣がなければゆくゆくは齲蝕症を患うことになり、注意を怠れば歯髄炎に発展する。そして、さらに深刻になると、俗にいう「歯痛は病気ではなく命にかかわる」という表現も誇張したものではなくなる。
【０００３】
一般的な歯ブラシは口腔の大きな範囲の清掃しか行えず、齲蝕症は往々にして歯と歯の間の小さな食べかすから発生する。歯の間の隙間が小さいため、人々はデンタルフロスや歯間ブラシ等のより小さな清掃具を使用しなければ歯の隙間に残る小さな食べかすを除去できなかった。
【０００４】
従来の特許文献では、例えば、下記特許文献１の「歯間ブラシ」という記載があるが、従来の歯間ブラシは少なくとも２〜３種類の異なる属性の材料を利用して製造している。これはハンドル部と、前記ハンドル部の一端に植設されている軸部と、前記軸部に嵌設されているブラシ部と、を備えている。前記ハンドル部はプラスチック射出成形で成形され、前記軸部は鉄線が巻き付いて成形され、前記ブラシ部は人工繊維で製造されている。
【先行技術文献】
【特許文献】
【０００５】
【特許文献１】日本特許出願第６７４９５２４号公報
【考案の概要】
【考案が解決しようとする課題】
【０００６】
しかしながら、上述の従来の歯間ブラシには改善が待たれる下記問題が存在する。一、異なる属性の材料を使用しているため、歯間ブラシを廃棄する場合、リサイクルの分類が難しくなり、環境保護の上での負担になっていた。二、前記軸部は硬度が高い鉄線で製造されているため、ユーザーが口腔を清掃する場合、前記軸部がユーザーの歯間で押し引き去れると、硬度が高い鉄線が歯及び歯茎の部位を傷付けてしまった。
【０００７】
そこで、本考案者は上記の欠点が改善可能と考え、鋭意検討を重ねた結果、合理的設計で上記の課題を効果的に改善する本考案の提案に至った。
【０００８】
本考案は、以上の従来技術の課題を解決する為になされたものである。即ち、本考案の目的は、歯間清掃具を提供することにある。つまり、同じ属性のプラスチック材質で一体成形されるため、歯間清掃具を廃棄する場合、分解してリサイクルの分類を行う煩雑なプロセスが減少する。
【課題を解決するための手段】
【０００９】
上記課題を解決するために、本考案のある態様の歯間清掃具は、ハンドル部及び前記ハンドル部の一端に連接されているヘッド部を備え、前記ヘッド部及び前記ハンドル部は同じ材料で一体成形されている。前記ヘッド部は軸状の芯基材部及びブラシ部を有し、前記軸状の芯基材部は棒状であり、且つ前記ハンドル部の一端から延伸されている。前記ブラシ部は複数の細いブラシ層を含み、各前記細いブラシ層は複数の細いブラシを有し、且つ同じ前記細いブラシ層の各前記細いブラシは前記軸状の芯基材部の表面の異なる方向に突出するように成形されている。前記軸状の芯基材部の自由端に隣接する前記細いブラシ層は第一細いブラシ層であり、前記ハンドル部に隣接する前記細いブラシ層は第Ｍ細いブラシ層である。また、前記ブラシ部の前記複数の細いブラシ層のうちの第Ｎ細いブラシ層の各細いブラシが対応する隣接する第Ｎ＋１細いブラシ層の各細いブラシは位置がずれており、ここでは、１≦  Ｎ≦  Ｍ−１を満たし、且つＮ及びＭは全て自然数である。
【００１０】
本明細書及び図面の記載により、少なくとも、以下の事項が明らかとなる。
【図面の簡単な説明】
【００１１】
【図１】本考案の好ましい実施例に係る歯間清掃具を示す外観斜視図である。
【図２】本考案の好ましい実施例に係る歯間清掃具を示す正面概略図である。
【図３】本考案の好ましい実施例に係る歯間清掃具を示す側面概略図である。
【図４】本考案の他の好ましい実施例に係る歯間清掃具を示す正面概略図である。
【考案を実施するための形態】
【００１２】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１３】
まず、図１は本考案の好ましい実施例に係る歯間清掃具１を示す外観斜視図である。前記歯間清掃具１は同じ属性のプラスチック材質で一体射出成形され、ハンドル部１０及びヘッド部２０を備えている。
【００１４】
前記ハンドル部１０は細長い柱体を呈し、且つそのうちの一端は概ね錐状を呈し、前記ハンドル部１０は主にユーザーが歯を清掃する際に握持する部位としている。
【００１５】
前記ヘッド部２０は軸状の芯基材部２１及びブラシ部２２を有している。前記軸状の芯基材部２１は棒状であり、且つ前記ハンドル部１０の概ね錐状を呈している一端から延伸され、前記刷軸２１の表面には複数の周方向を適切に定義し、且つこれら前記周方向は互いに平行していると共に互いに所定の距離を空けている。前記ブラシ部２２は複数の細いブラシ層を含み、各前記細いブラシ層は複数の細いブラシ２２１を有し、同じ前記細いブラシ層の各前記細いブラシ２２１は前記軸状の芯基材部２１の表面の異なる方向に突出するように成形されている。
【００１６】
また、同じ前記細いブラシ層のこれら前記細いブラシ２２１は前記軸状の芯基材部２１の表面の同じ周方向に突出するように成形されている。各前記細いブラシ層のこれら前記細いブラシ２２１は棒状であり、且つ長軸方向は全て前記軸状の芯基材部２１の長軸方向に対し概ね垂直を呈している。
【００１７】
次いで、前記軸状の芯基材部２１の同じ周方向に延伸されている少なくとも２本の細いブラシ２２１により細いブラシ層が形成されている。本実施例では、好ましくは、８本の細いブラシ２２１により細いブラシ層が形成されている。
【００１８】
図２と図３を参照すれば、前記ブラシ部２２が備えている複数の前記細いブラシ層のうちの前記軸状の芯基材部２１の自由端に隣接する前記細いブラシ層は第一細いブラシ層２２ａと定義し、前記ハンドル部１０に隣接する前記細いブラシ層は第Ｍ細いブラシ層２２ｂと定義している。次いで、前記第一細いブラシ層２２ａと前記第Ｍ細いブラシ層２２ｂとの間では、隣接する何れか２つの前記細いブラシ層を第Ｎ細いブラシ層２２ｃ及び第Ｎ＋１細いブラシ層２２ｄと定義し、前記第Ｎ細いブラシ層２２ｃの各細いブラシ２２１が対応する前記第Ｎ＋１細いブラシ層２２ｄの各細いブラシ２２１は位置がずれている。上述のＮ及びＭは１≦  Ｎ≦  Ｍ−１を満たし、且つＮ及びＭは全て自然数である。
【００１９】
図４は本考案の他の好ましい実施例に係る歯間清掃具２を示す正面概略図である。主な構造は前述の好ましい実施例に類似し、但し、前記歯間清掃具２のこれら前記細いブラシ層のうちの異なる前記細いブラシ層の前記細いブラシ２２１の長さは一致せず、これは特に前記第一細いブラシ層２２ａから前記第Ｍ細いブラシ層２２ｂに向けられたものを指す。異なる前記細いブラシ層の前記細いブラシ２２１は徐々に長くなり、前記ブラシ部２２が錐状形態を呈している。
【００２０】
本実施例に係る構造形式は、２つのこれら前記細いブラシ層間の各前記細いブラシ２２１が位置がずれているため、前記ブラシ部２２の各前記細いブラシ２２１が前記軸状の芯基材部２１に対しさらに全面的に延伸した角度を有している。これにより、使用中に前記ヘッド部２０の前記ブラシ部２２を歯間で押し引きすると、これら前記細いブラシ２２１と歯の隙間の両側の歯面との接触面積が大きいため、歯間及び隙間の両側の歯面の清掃効果がさらに高まっている。
【００２１】
次いで、前記ブラシ部２２の各前記細いブラシ層の各前記細いブラシ２２１の組み合わせは概ね錐形を呈し、且つ前記軸状の芯基材部２１の自由端に位置している各前記細いブラシ２２１の長さが最も短くなっているため、使用時に前記ヘッド部２０がより容易にスムーズに歯の隙間に進入する。このため、前記ヘッド部２０のこれら前記細いブラシ２２１は前記ブラシ部２２が概ね錐状を呈することにより案内され、各前記細いブラシ２２１がスムーズに折れ曲がり、前記ヘッド部２０が前記歯の隙間に進入して爪楊枝としても使用可能となる。
【００２２】
また、本考案は前記ハンドル部１０及び前記ブラシ部２２を有している前記ヘッド部２０がプラスチックで一体成形されているため、製造においては、従来の歯間清掃具のように異なる材料を組み合わせるために加工が不便になることがない。リサイクルにおいては、異なる材料に分けて分解する必要がないため、資源のリサイクルの負担を減らす効果を有している。使用においては、プラスチックで一体成形されているため、従来の製品では金属軸部を有しているために歯及び歯茎の部位を傷付けやすいという欠点を改善している。
【００２３】
上記の実施形態は、本考案の理解を容易にするためのものであり、本考案を限定して解釈するためのものではない。本考案は、その趣旨を逸脱することなく、変更、改良され得ると共に、本考案にはその等価物が含まれることは言うまでもない。
【符号の説明】
【００２４】
１  歯間清掃具
２  歯間清掃具
１０  ハンドル部
２０  ヘッド部
２１  軸状の芯基材部
２２  ブラシ部
２２１  細いブラシ
２２ａ  第一細いブラシ層
２２ｂ  第Ｍ細いブラシ層
２２ｃ  第Ｎ細いブラシ層
２２ｄ  第Ｎ＋１細いブラシ層
【図１】
0003235273.tif 000003
【図２】
0003235273.tif 000004
【図３】
0003235273.tif 000005
【図４】
0003235273.tif 000006